(57)【要約】【課題】植設タイプの多重化を容易に行い得る櫛を提供すること。【解決手段】本発明は、角質ファイバに対して製品を適用するための櫛（１）に関するものであって、製品を適用することができる歯（２ａ，３ａ）を具備している。本発明は、これら歯が、少なくとも２つの部分（２，３）を組み立てることによって得られていることを特徴としている。本発明は、また、このような櫛（１）を備えたアプリケータセットに関するものであり、さらに、まつ毛や眉毛に対するメーキャプを行うに際してのそのようなアプリケータセットの使用に関するものである。【選択図】図１
2006087962.tif 000002
【特許請求の範囲】
【請求項１】
特にまつ毛や眉毛といったような角質ファイバに対して製品を適用するための櫛（１，１０１，２０１，３０１）であって、
前記製品を適用することができる歯（２ａ，３ａ）を具備してなり、
第１延長部分に対して連結された一方の前記歯（２ａ）を有した第１の部分（２）と、第２延長部分に対して連結された他方の前記歯（３ａ）を有した第２の部分（３）と、を具備し、
前記第１延長部分と前記第２延長部分とが、同一の桿体に対して固定されることを特徴とする櫛。
【請求項２】
請求項１記載の櫛（１，１０１，３０１）において、
前記複数の部分（２，３）が、一体部材として熱可塑性物質の成形によって得られるものであるとともに、フィルムヒンジ（４，３０４）を介して互いに回転可能に連結されていることを特徴とする櫛。
【請求項３】
請求項２記載の櫛（１，１０１，３０１）において、
前記複数の部分（２，３）が、成形後に、スナップ固定や溶着や接着によって互いに組み立てられることを特徴とする櫛。
【請求項４】
請求項１記載の櫛（２０１）において、
前記複数の部分（２，３）が、個別の部分（２０２，２０３）として熱可塑性物質の成形によって得られるものであるとともに、成形後に、スナップ固定（２０６，２０７）や溶着や接着によって互いに組み立てられることを特徴とする櫛。
【請求項５】
請求項１〜４のいずれかに記載の櫛（１，１０１，２０１，３０１）において、
前記複数の部分（２，３）のうちの少なくとも一方が、軸（Ｘ）に沿って延在する長尺形状のベース（２ｂ，３ｂ）に対して連結された少なくとも１列の形態として構成された複数の歯を備えていることを特徴とする櫛。
【請求項６】
請求項１〜５のいずれかに記載の櫛において、
前記歯（２ａ，３ａ）どうしが、特に２つの部分（２，３）の当接面といったような（Ｓ）の両側においてジグザグ状となるように、互いに位置がずらされていることを特徴とする櫛。
【請求項７】
請求項５記載の櫛において、
前記軸（Ｘ）に沿って見たときに、前記２つの歯（２ａ，３ａ）の自由端どうしが、互いに遠ざかる形状とされている、あるいは、互いに近づく形状とされている、あるいは、交差する形状とされていることを特徴とする櫛。
【請求項８】
請求項６または７記載の櫛において、
側面から見たときに、前記２つの歯（２ａ，３ａ）の自由端どうしが、互いに遠ざかる形状とされている、あるいは、互いに近づく形状とされている、あるいは、交差する形状とされていることを特徴とする櫛。
【請求項９】
請求項７または８記載の櫛において、
側面から見たときに、前記２つの歯（２ａ，３ａ）が、これら歯どうしの間に、切欠部（Ｅ）を形成していることを特徴する櫛。
【請求項１０】
請求項６〜９のいずれかに記載の櫛において、
前記歯が、前記当接面と平行な前面および／または後面を有していることを特徴する櫛。
【請求項１１】
請求項１〜１０のいずれかに記載の櫛において、
前記櫛が、把持部材（１０，２０）に対して固定されていることを特徴する櫛。
【請求項１２】
請求項６〜９のいずれかに記載の櫛において、
前記２つの部分が、スナップ固定手段（２０６，２０７）によって組み立てられ、
該スナップ固定手段が、一方が第１部分（２）上に配置されかつ他方が第２部分（３）上に配置された２つの対応係合部材を有している少なくとも１つのオス／メス嵌合システムを備えて構成されていることを特徴する櫛。
【請求項１３】
請求項２または３記載の櫛（３０１）において、
前記フィルムヒンジ（３０４）が、前記櫛の長さ方向軸（Ｘ）に対する直交方向に沿っ
請求項９におきまして、「特にＶ字形状切欠部といったような」という文言を削除いたしました。
た向きとされていることを特徴する櫛。
【請求項１４】
請求項２または３記載の櫛（１，１０１）において、
前記フィルムヒンジ（４）が、前記櫛の長さ方向軸（Ｘ）に平行な向きとされていることを特徴する櫛。
【請求項１５】
請求項１３記載の櫛（３０１）において、
前記フィルムヒンジ（３０４）がなす端部とは反対側の端部（６ａ，６ｂ）に、把持部材（１０）が固定されていることを特徴する櫛。
【請求項１６】
請求項１〜１５のいずれかに記載の櫛（１，１０１，２０１）において、
前記２つの部分（２，３）からなる組立体を保持し得る手段（１０ａ）を具備していることを特徴する櫛。
【請求項１７】
請求項２〜１６のいずれかに記載の櫛（１，１０１，２０１）において、
前記熱可塑性物質が、例えばグラファイトや二硫化モリブデンやポリテトラフルオロエチレンといったような、まつ毛に沿った滑り性を改良することを意図した添加剤を含有していることを特徴する櫛。
【請求項１８】
請求項１〜１７のいずれかに記載の櫛（１，１０１，２０１）において、
前記２つの部分（２，３）が、互いに異なる材料から形成されていることを特徴する櫛。
【請求項１９】
請求項１〜１８のいずれかに記載の櫛（１，１０１，２０１）において、
前記２つの部分の少なくとも一方が、少なくとも一部において産毛状コーティングでもって被覆されていることを特徴する櫛。
【請求項２０】
請求項１〜１９のいずれかに記載の櫛（１，１０１，２０１）において、
前記２つの部分を組み立てる際に、これら２つの部分どうしの間に、空隙含有層が挿入されることを特徴する櫛。
【請求項２１】
請求項２０記載の櫛（１，１０１，２０１）において、
前記空隙含有層が、開放気泡型の発泡体、半開放気泡型の発泡体、フェルト、織布、あるいは、不織布の中から選択されたものとされることを特徴する櫛。
【請求項２２】
まつ毛や眉毛に対して、特に化粧品といったような製品（Ｐ）を適用するためのセット（Ａ）であって、
前記製品の所定量を収容するための容器（１１）と、
前記容器に対して着脱可能に装着し得るアプリケータ（１３）と、
を具備してなり、
前記アプリケータが、請求項１〜２１のいずれかに記載された櫛（１，１０１，２０１，３０１）と、該櫛が取り付けられている把持部材（１０，２０）と、を備えていることを特徴とするセット。
【請求項２３】
まつ毛や眉毛のメーキャプに請求項２２記載のセット（Ａ）を使用することを特徴とするセットの使用。
【請求項２４】
特にまつ毛や眉毛といったような角質ファイバに対して製品を適用するための櫛（１，１０１，３０１）であって、
前記製品を適用することができる歯（２ａ，３ａ）を具備してなり、
第１ベース（２ｂ）に対して連結された一方の前記歯（２ａ）を有した第１の部分（２）と、第２ベース（３ｂ）に対して連結された他方の前記歯（３ａ）を有した第２の部分（３）と、を具備し、
前記第１ベースと前記第２ベースとが、フィルムヒンジを介して互いに回転可能に連結され、
前記第１の部分と前記第２の部分とが、桿体に対して固定されることを特徴とする櫛。
【発明の詳細な説明】
【技術分野】
【０００１】
本発明は、特にまつ毛や眉毛といったような角質ファイバに対して製品を適用するための櫛に関するものである。本発明は、また、ある量の製品を収容するための容器と、そのような櫛の形態とされたアプリケータ部材とこのアプリケータ部材が取り付けられる桿体とを備えてなるアプリケータと、を具備するタイプのアプリケータセットに関するものである。アプリケータ部材を引き出す際に櫛上に製品を広げ得るようにおよび／または過剰の製品を除去し得るように、可能であれば、容器内に、搾り部材を設けることができる。
【０００２】
限定するものではないが、本発明は、より詳細には、まつ毛や眉毛に対して適用されるものであり、長尺形状のベースに対して少なくとも１列の歯を備えているような、櫛に関するものである。
【背景技術】
【０００３】
製品を収容している容器からアプリケータを引き出す際に製品を取り出し得るような列状の歯を有してなる櫛からアプリケータ部材が形成されているような、収容およびアプリケータデバイスは、公知である。
【０００４】
櫛上への歯の植設状況は、特にまつ毛に関して、製品の適用において決定的要素である。与えられた流動性の製品に対して、植設状況によって、メーキャップ効果が対応することとなり、メーキャップ特性も異なることとなる。よって、歯の植設状況に依存して、メーキャップ効果は、軽いもの、重いもの、カールを助長するもの、引き伸ばし効果をもたらすもの、等となる。自明なように、製品適用特性に影響を与えるものとしては、他の要素もあり、この中で重要なものは、おそらく、製品自体であろう。
【０００５】
そのような櫛は、通常、成形によって得られる。特に、熱可塑性物質の成形によって得られる。そのような櫛に関して起こり得る問題点の１つは、植設タイプの多重化を行うことが困難であることであり、そのため、メーキャップ効果の多重化を得ることが困難であることである。問題は、新たなメーキャップ効果を得ることを目的とした新たな歯の植設のそれぞれに対して、新たな鋳型を使用する必要があるということである。さらに、離型性に関する制約を、常に考慮しなければならない。
【０００６】
その結果、櫛内における歯の植設タイプを多重化し得るように櫛を構成することが要望されており、また、歯の植設の多重化に対応して、得られるメーキャップ効果のタイプを多重化し得ることが要望されている。換言すれば、通常使用されている製造技術によっては製造し難いような櫛構成（歯の植設状況）を得ることが要望されている。
【０００７】
また、特に化粧用組成物やケア用組成物といったような組成物を特にまつ毛に対して適用するための櫛であって、製造が容易であり形状の再現性が良好であるような櫛を製造することが要望されている。なお、本出願人の知る限りにおいては、本出願に関連性を有する先行技術文献は存在しない。
【発明の開示】
【課題を解決するための手段】
【０００８】
よって、本発明は、特にまつ毛や眉毛といったような角質ファイバに対して製品を適用するための櫛に関するものであって、製品を適用することができる歯構成を具備している。この櫛は、特に、歯構成が、少なくとも２つの部分を組み立てることによって得られていることを特徴としている。
【０００９】
複数の部分は、これら部分が組み立てられるまでは、歯構成を形成しないように構成されていることが有利である。この目的のために、各部分は、有利には、他の部分に属する対応部材と協働することを意図した少なくとも１つの部材を備えている。複数の部分が組み立てられることによって、歯構成が形成され、櫛が最終形状とされる。
【００１０】
有利には、歯は、長さ方向軸に沿って延在しかつ特に長尺形状とされたベースに対して連結された少なくとも１列の形態として構成される。より詳細には、複数の部分として２つの部分を有する実施形態が好ましい。
【００１１】
よって、本発明においては、各部分は、他の部分と協働することによって、１つまたは複数の列をなす歯の全部または一部を形成するという役割を有している。代替例においては、１つまたは複数の歯列のいくつかを、１つの部分上に形成し、残りの歯列を、他の部分上に形成することができる。
【００１２】
好ましくは、２つの部分は、熱可塑性物質の成形によって一体部材として得られるものであるとともに、フィルムヒンジを介して互いに回転可能に連結される。
【００１３】
有利には、フィルムヒンジは、２つの部分のベースどうしを連結する。有利には、成形後に一方の部分を他方の部分上に折り曲げることにより、例えばスナップ固定や溶着や接着やクサビ止めや締付固定や他の任意の適切な手段によって、２つの部分が組み立てられる。
【００１４】
これに代えて、２つの部分は、２つの個別の部材として熱可塑性物質の成形によって得られるものであり、スナップ固定や溶着や接着や他の任意の適切な手段によって互いに組み立てられる。
【００１５】
好ましくは、２つの部分は、組立後において歯どうしが特に２つの部分の当接面といったような分離面の両側においてジグザグ状となるよう互いに位置がずらされているような、形状とされている。
【００１６】
有利には、櫛を長さ方向軸に沿って見たときに、２つの歯の自由端どうしが、互いに遠ざかる形状とされる、あるいは、互いに近づく形状とされる、あるいは、交差する形状とされる。
【００１７】
同様に、櫛を側面から見たときに、２つの歯の自由端どうしを、互いに遠ざかる形状とすることができ、あるいは、互いに近づく形状とすることができ、あるいは、交差する形状とすることができる。
【００１８】
この場合、櫛を側面から見たときに、２つの歯は、これら歯どうしの間に、まつ毛を把持し得るとともに櫛内に挟んだまつ毛に沿った製品の押し広げを助長し得るような、例えばＶ字形状切欠部といったような切欠部を形成する。
【００１９】
まつ毛の捕捉保持性能を向上させるために、歯は、当接面と平行とされかつ互いに鋭角または鈍角を形成しているような前面および／または後面を有することができる。
【００２０】
有利には、握りやすくするために、櫛は、直接的にまたは桿体を介して間接的に連結される把持部材に対して、固定される。把持部材は、ベースの一端からベースに対して連結することができ、また、ベースと一直線状に連結することができる。これに代えて、歯構成は、把持部材の長さ方向軸と直交する向きとすることもできる。
【００２１】
櫛を、２つの部分のスナップ固定によって組み立てる場合には、スナップ固定は、一方が第１部分に配置されかつ他方が第２部分上に配置された２つの対応係合部材を有している少なくとも１つのオス／メス嵌合システムを使用して行うことができる。
【００２２】
櫛がフィルムヒンジを備える場合には、フィルムヒンジは、好ましくは、歯が突出している向きとは直交する方向に沿った向きとされる。この特定の実施形態においては、フィルムヒンジは、ベースのうちの歯が植設される面とは反対側の面の近傍に形成される。ある特定の実施形態においては、フィルムヒンジは、櫛の軸方向を向いて配置されたグルーブの底部に配置される。
【００２３】
有利には、フィルムヒンジは、櫛の長さ方向軸に直交した向きで配置することができる。
【００２４】
ある実施形態においては、複数の部分は、把持部材によって組み立てることができる。例えば、２つの部分がなす両端部のうちの、フィルムヒンジがなす端部とは反対側の端部に、把持部材を取り付けることによって、組み立てることができる。
【００２５】
２つの部分の他の組立方法においては、２つの部分は、これら２つの部分と把持部材の一部との協働によって組み立てられる。特に、これら２つの部分と把持部材の端部との協働によって組み立てられる。
【００２６】
歯の高さは、様々ななものとすることができる。例示するならば、歯の高さは、０．５ｍｍ〜１０ｍｍとすることができる。
【００２７】
所望のメーキャプ特性に応じて、櫛は、例えば適切な曲げ係数を有した弾性体といったような、剛直〜ややフレキシブル〜ソフトな熱可塑性物質から形成することができる。
【００２８】
本発明の他の主題は、まつ毛や眉毛に対して、特に化粧品といったような製品を適用するためのセット（アプリケータセット）であって、製品の所定量を収容するとともに必要であれば搾り部材が付設されている容器と、容器に対して着脱可能に装着し得るアプリケータと、を具備している。このセットは、さらに、上述の櫛が一端に取り付けられている把持部材を具備している。適切な搾り部材は、例えば仏国特許出願公開明細書第２ ７４５ ２７２号に記載されている。
【００２９】
本発明によるアプリケータセットは、特に、まつ毛や眉毛のメーキャプに使用することができる。
【発明を実施するための最良の形態】
【００３０】
以下の本発明を制限するものではない例示としての実施形態に関する説明を添付図面を参照しつつ読むことにより、本発明が、より明瞭に理解されるであろう。
【００３１】
まつ毛や眉毛に対して製品を適用するための櫛（１）の第１実施形態について、添付図面を参照して、特に図１〜図４を参照して、説明する。適用することを意図している製品は、特に、液体状〜ペースト状という粘稠度のマスカラである。
【００３２】
特に図１および図２に示すように、櫛（１）は、長尺形状であって共に軸（Ｘ）に沿って配置された第１部分（２）と第２部分（３）とを備えて構成されている。これら第１部分（２）および第２部分（３）は、各部分（２，３）のそれぞれのベース（２ｂ，３ｂ）間に形成されたフィルムヒンジ（４）を介して、互いに連結されている。連結面（Ｓ）は、両部分（２，３）間の対称面を形成している。ベース（２ｂ，３ｂ）の各々には、一連の歯（２ａ，３ａ）が設けられている。この場合、一連の歯（２ａ）は、第１部分（２）のベース（２ｂ）上に植設された歯からなる直線的な列を形成する。同様に、一連の歯（３ａ）は、第２部分（３）のベース（３ｂ）上に植設された歯からなる直線的な列を形成する。両ベース（２ｂ，３ｂ）は、櫛の背骨部分を構成している。この実施形態においては、歯（２ａ，３ａ）の植設は、第１部分（２）の歯（２ａ）と第２部分（３）の歯（３ａ）とが、交互的であるようなものとされている。両ベースのうちの、歯が植設されているエッジとは反対側のエッジどうしは、Ｖ字形横断面形状をなすグルーブ（５）によって、互いに離間している。先のフィルムヒンジ（４）が、Ｖ字形の頂点を形成している。
【００３３】
フィルムヒンジは、図１および図２に示す構成で鋳型から櫛を取り出すことを可能としている。フィルムヒンジは、また、フィルムヒンジ（４）回りに２つの部分（２，３）を回転させることによって、２つの部分（２，３）を組み立てることを可能としている。これにより、使用時には、図３および図４に示すような構成とされた櫛が、得られる。
【００３４】
形成時点の構成では、歯（２ａ）の自由端と歯（３ａ）の自由端との間には、大きなギャップが存在している。
【００３５】
この構成は、ベース（２ｂ，３ｂ）上に、櫛を一体部材として形成する場合に実現することが困難であるような形状や植設といったような複雑な形状かつ複雑な植設とされた歯を、形成することを可能とする。よって、例えば、本発明においては、第１部分の歯が、第２部分の列状をなす歯どうしの間に進入しているような櫛を形成することができる。また、第１部分を、第１方向に傾斜した歯を有するものとして形成し、かつ、第２部分を、第１方向とは異なる第２方向に傾斜した歯を有するものとして形成することができる。特に、本発明においては、第１部分上に植設されている歯の全体的方向が、第２部分上に植設されている歯の全体的方向とは平行ではないような、櫛を形成することができる。
【００３６】
使用時点での構成が図３および図４に示すような構成とされる櫛を得るためには、フィルムヒンジ（４）の軸回りに両部分（２，３）を回転させることによって両部分（２，３）を近接配置とした後に、接着や溶着やスナップ固定や締付固定やクサビ止め等によって、第１部分（２）と第２部分（３）とを、互いに固定することができる。
【００３７】
そのような締付固定が、図３に示されている。櫛の一端が、三角形横断面形状部分（６）の形態で延長されていることがわかる。この部分（６）は、桿体（１０ａ）の端部（１０ｂ）に形成されている対応横断面形状穴（１２）内に、押し込まれる。この構成は、２つの部分（２，３）を組み立てることを可能とするとともに、櫛と、桿体（１０ａ）が固定されている把持部材（１０）（図１１）と、を連結することを可能としている。このようにして形成されたアプリケータ（１３）は、使用待受状態となっている。
【００３８】
図５は、アプリケータ（１１３）を形成する把持部材（２０）に対しての、櫛（１０１）の他のタイプの取付を示している。把持部材（２０）は、長尺の平坦形状とされていて、平坦状桿体（１０）を介して、平行六面体形状ハウジング（２２）に対して連結されている。ハウジング（２２）は、一端（２２ａ）が開口している。ハウジング（２２）は、櫛（１０１）のベースを受領することができる。櫛（１０１）は、図３を参照して組立状態で上述した櫛（１）と、ほぼ同じ構造とされている。つまり、櫛（１０１）は、フィルムヒンジ（４）を介して互いに連結されている２つの部分（２，３）を組み立てることによって形成されている。ハウジング（２２）は、組立状態とされた２つの部分を保持するよう機能するとともに、櫛を把持部材（２０）に対して連結するための連結手段を形成する。
【００３９】
図６は、２つの部分（２０２，２０３）が個別的に成形されているような、アプリケータにおける櫛（２０１）の他の実施形態を示している。２つの部分を容易にかつ精度良く組み立て得るように、機械的組立手段が設けられている。
【００４０】
この目的のために、第１部分（２０２）のベース（２０２ｂ）には、２つの開口（２０７）が形成されている。また、第２部分（２０３）のベース（２０３ｂ）には、第１部分内の開口（２０７）内に緊密に取り付けられ得る２つのペグ（２０６）が形成されている。これらの組立に使用する各部材は、２つの部分（２０２，２０３）のスナップ固定が長く維持され得るような形状とすることができ、例えば鳩の尾の形状といった形状とすることができる。図７は、組立状態とされた櫛（２０１）を示している。
【００４１】
図８は、櫛（１）が挟み込み（クランプ）によって組み立てられるような、他の実施形態を示している。この実施形態においては、櫛（１）をなす２つの部分（２，３）は、櫛（１）の背骨部分近傍に形成されたフィルムヒンジによって、互いに連結されている。各ベース（２ｂ，３ｂ）の外表面上には、凹所（２ｃ，３ｃ）が形成されている。これら凹所は、フィルムヒンジ（４）と平行なものとされており、これにより、円柱形状部分を形成している。桿体（１０ａ）は、２つの部分（２，３）を、組立状態に保持し得るよう構成されている。この目的のために、桿体（１０ａ）は、中空とされていて、長さ方向開口（１０ｃ）を有している。そのため、長さ方向開口（１０ｃ）は、２つの長さ方向エッジ（１０ｂ）によって規定されたチャネル部を形成している。このチャネル部は、有利には、櫛の軸方向長さとほぼ同等の長さを有している。チャネル部は、ベース（２ｂ，３ｂ）がなす円柱部分が、長さ方向開口（１０ｃ）がなすチャネル部の内部に受領され得るような形状とされている。チャネル部の長さ方向両エッジ（１０ｂ）は、２つの凹所（２ｃ，３ｃ）の各底部どうしの離間間隔よりもわずかに小さな離間間隔を有している。これにより、挟み込みによって２つの部分（２，３）を保持することができるようになる。
【００４２】
図９は、櫛（１）がクサビ止めによって組み立てられるような、他の実施形態を示している。この実施形態においては、櫛（１）をなす２つの部分（２，３）は、フィルムヒンジ（４）によって互いに連結されているとともに、各部分（２，３）には、櫛（１）の一部上に配置された円弧部（２ｂ，３ｂ）が形成されている。これら円弧部（２ｂ，３ｂ）は、フィルムヒンジ（４）に関して、歯（２ａ，３ａ）とは反対側に位置している。円弧部（２ｂ，３ｂ）は、櫛の組立状態においては、１８０°よりもわずかに大きな角度でもって開口するチャネル部を形成する。このチャネル部は、適切な直径を有した円柱状桿体（１０ａ）の自由端をスナップ固定によって内部に受領することができる。これにより、２つの部分（２，３）は、組立状態に保持され、桿体（１０ａ）を有した把持部材に対して固定される。
【００４３】
図１０は、両部分（２，３）の各々が、軸（Ｘ）に沿った向きとされたベース（２ｂ，３ｂ）を備えているような、他の実施形態を示している。各ベースには、多数の歯（２ａ，３ａ）が形成されている。両ベース（２ｂ，３ｂ）は、軸（Ｘ）に対して直交している軸（Ｙ）に沿う向きで配置されたフィルムヒンジ（３０４）によって互いに連結されている。各部分（２，３）は、それぞれの自由端に延長部（６ａ，６ｂ）を有している。これら延長部の役割については、後述する。櫛（３０１）を組み立てるには、軸（Ｙ）回りに回転させることにより、両部分（２，３）を、互いに重なり合うように折り曲げる。この組立状態においては、両延長部（６ａ，６ｂ）は、互いに当接する。フィルムヒンジ（３０４）は、両部分が組み立てられたときには、櫛の自由端を形成する。櫛の他端は、延長部（６ａ，６ｂ）によって形成される。２つの部分の組立は、２つの延長部（６ａ、６ｂ）がなす櫛の他端を、図３に関連して上述したのと同様にして、中空桿体の自由端内に押込取付することによって、行われる。
【００４４】
アプリケータセット（Ａ）が、図１１に示されている。このアプリケータセットは、容器（１１）を具備しており、容器（１１）は、例えばマスカラといったような、まつげや眉毛に適用するための化粧品および／または処理製品（Ｐ）の所定量を収容している。
【００４５】
容器（１）は、ネジ山付きネック部（３０）を有しており、このネジ山付きネック部上に、アプリケータ（１３）が、着脱可能に装着されるようになっている。アプリケータ（１３）は、把持部材（１０）をなす把持ハンドルを備えている。把持ハンドルは、容器（１１）に取り付けることを意図した側に、軸（Ｘ）を有した突出桿体（１０ａ）を有している。把持ハンドルは、容器を閉塞するためのキャップを構成するものであり、ネック部（３０）上に螺着し得るように構成されている。桿体（１０ａ）の自由端（１０ｂ）には、アプリケータにおける櫛（１）の自由端（６）を固定するための開口（１２）が形成されている。この場合の櫛は、図１〜図４を参照して上述した、アプリケータにおける櫛とほぼ同等の構成とされている。
【００４６】
容器（１１）の開口（１１ａ）の内方には、搾り部材（１９）が取り付けられている。搾り部材（１９）は、弾性変形可能な開放気泡型のまたは半開放気泡型の発泡体ブロックからなるもので、ネック部（３０）の内方部分（３０ａ）内に挿入されている。発泡体ブロックからなる搾り部材（１９）は、アプリケータにおける櫛（１）と櫛（１）が取り付けられている桿体（１０ａ）の一部とを挿通させ得る中央通路（１９ａ）を有している。この中央通路（１９ａ）は、アプリケータにおける櫛が容器から引き出されるときに、櫛の歯どうしの間に広がった製品（Ｐ）と除去すべき過剰の製品（Ｐ）とを、取り除くことができる。
【００４７】
桿体（１０ａ）は、剛直なものであっても良く、適度にフレキシブルなものであっても良い。桿体（１０ａ）は、直線状のものとして図示されているけれども、湾曲したものとすることもできる。
【００４８】
当然のことながら、本発明は、上述した例示としての実施形態に限定されるものではなく、特に、上述した様々な特定の実施形態どうしを互いに組み合わせることができる。
【００４９】
櫛は、２つよりも多数の部分から形成することができる。その場合、３つまたは４つのあるいはそれ以上の歯列を有した櫛を得ることができる。
【００５０】
歯は、アプリケータ部材（この実施形態においては『櫛』）の軸方向位置に依存して様々なに変化するような高さのものとすることができる。例えば、歯は、前方から後方にかけて、高くなるようにすることも、あるいは、低くすることも、あるいは、一旦低くなってそれから高くすることも、一旦高くなってそれから低くすることも、できる。
【００５１】
櫛に残り得る製品の量を増大させ得るように、歯を、表面仕上げすることができる。この場合、歯は、毛細管グルーブを有することができる。さらに、櫛の少なくとも一部に、少なくとも部分的に、産毛状加工を施すことができる。
【００５２】
必要であれば、櫛を形成するための部分を組み立てる際に、２つ以上の部分どうしの間に、空隙含有層を挿入することができる。この構成により、製品受領量を増大させることができるようになり、まつ毛や眉毛に沿った製品の広がりを改良することができる。そのような空隙含有層は、例えば、開放気泡型の発泡体、半開放気泡型の発泡体、フェルト、織布、あるいは、不織布等の中から選択される。そのような空隙含有層の厚さは、好ましくは、０．１ｍｍ〜１ｍｍとすることができる。
【００５３】
歯は、例えばまつ毛に沿った良好な案内性を付与するために、あるいは、表面粗さを増大させるために、例えばワニスといったようなコーティングでもって被覆することができる。これに代えて、熱可塑性物質が、例えばグラファイトや二硫化モリブデンやポリテトラフルオロエチレン（テフロン（登録商標））といったような、角質ファイバに対しての滑り性を改良することを意図した添加剤を含有していても良い。
【００５４】
本発明によるまつ毛や眉毛に対するアプリケータにおける櫛は、好ましくは、剛直〜ややフレキシブルであるといった程度の硬さの熱可塑性物質の射出成形によって形成される、あるいは、特に適切な硬さの熱可塑性弾性体といったような、弾性体から形成される。櫛をなす各部分は、互いに異なる材料から形成することができる。
【図面の簡単な説明】
【００５５】
【図１】本発明の一実施形態における、アプリケータにおける櫛（１）を示す斜視図であって、非組立状態が示されている。
【図２】図１におけるII−II線矢視断面図である。
【図３】図１の櫛を示す斜視図であって、組立状態が示されている。
【図４】図３におけるIV−IV線矢視断面図である。
【図５】本発明の他の実施形態における、アプリケータにおける櫛（１０１）を示す斜視図であって、把持部材（２０）に対して取り付けられる様子が示されている。
【図６】本発明の他の実施形態における、アプリケータにおける櫛（２０１）を示す斜視図であって、組立前の状態が示されている。
【図７】図６と同じ櫛（２０１）を示す斜視図であって、組立後の状態が示されている。
【図８】図１〜図４に示す櫛（１）の変形例を示す斜視図である。
【図９】図１〜図４に示す櫛（１）の他の変形例を示す斜視図である。
【図１０】本発明の他の実施形態における、アプリケータにおける櫛（３０１）を示す図であって、非組立状態が示されている。
【図１１】図３および図４の実施形態における櫛（１）を備えているような、本発明による収容およびアプリケータセット（Ａ）を概略的に示す軸方向断面図である。
【符号の説明】
【００５６】
１    櫛（アプリケータ部材）
２    第１部分（部分）
２ａ  歯
２ｂ  ベース
３    第２部分（部分）
３ａ  歯
３ｂ  ベース
４    フィルムヒンジ
１０    把持部材
１０ａ  桿体
１１    容器
１３    アプリケータ（アプリケータ（１３）＝櫛（１）＋把持部材（１０））
１９    搾り部材
２０    把持部材
１０１    櫛（アプリケータ部材）
１１３    アプリケータ（アプリケータ（１１３）＝櫛（１）＋把持部材（２０））
２０１    櫛（アプリケータ部材）
２０２    第１部分（部分）
２０３    第２部分（部分）
２０６    ペグ（スナップ固定手段）
２０７    開口（スナップ固定手段）
３０１    櫛（アプリケータ部材）
３０４    フィルムヒンジ
Ａ    アプリケータセット（セット）
Ｐ    製品
Ｘ    軸
【図１】
2006087962.tif 000003
【図２】
2006087962.tif 000004
【図３】
2006087962.tif 000005
【図４】
2006087962.tif 000006
【図５】
2006087962.tif 000007
【図６】
2006087962.tif 000008
【図７】
2006087962.tif 000009
【図８】
2006087962.tif 000010
【図９】
2006087962.tif 000011
【図１０】
2006087962.tif 000012
【図１１】
2006087962.tif 000013